【事件の表示】
　特願２００１−３５７６１３「ＤＶＤプレイヤに対する改良プレイバック制御方法、システムおよびコンピュータ読取可能媒体」拒絶査定不服審判事件〔平成１４年　８月２３日出願公開、特開２００２−２３７１７３〕について、次のとおり審決する。
【結　論】
　本件審判の請求は、成り立たない。
【理　由】
第１　手続の経緯
　
　本願は、平成１３年１１月２２日（パリ条約による優先権主張　２０００年１１月２２日　米国）に出願したものであって、平成１８年２月７日付け拒絶理由通知に対して同年５月１０日付けで手続補正がなされたが、同年５月２６日付けで拒絶査定がされた。これに対し、同年８月２８日付けで拒絶査定不服審判が請求されるとともに、同年９月２７日付けで手続補正がなされた。
　その後、平成２０年１１月４日付けで前置報告書を利用した審尋がなされ、平成２１年２月９日付けで回答書が提出されたものである。
　
第２　 平成１８年９月２７日付けの手続補正についての補正却下の決定
　
［補正却下の決定の結論］
　平成１８年９月２７日付けの手続補正を却下する。
　
［理由］
１．本件補正
　
　平成１８年９月２７日付けの手続補正（以下「本件補正」という。）は、明細書の特許請求の範囲についてするもので、本件補正前に、
　
「　【請求項１】　記録媒体に記録されたビデオストリームを再生するシステムにおいて、
　ブックマーキングを要求する第１の情報処理手段と、
　前記第１の情報処理手段がブックマーキングを要求した時点に再生されているビデオストリームのロケーションのブックマークを生成する第２の情報処理手段と
　を備えたことを特徴とするシステム。
　　【請求項２】　請求項１に記載のシステムにおいて、前記第２の情報処理手段により生成されるブックマークには前記ビデオストリームの再生状態が、順送り再生か逆利送り再生かを示すカレントステート情報を有しており、該ブックマークにより示されるロケーションからおよびカレントステート情報により示される再生方向に前記ビデオストリームを再生させる第３の情報処理手段をさらに備えたことを特徴とするシステム。
　　【請求項３】　請求項１に記載のシステムにおいて、前記第２の情報処理手段により生成されたブックマークを記憶しておく記憶手段をさらに有することを特徴とするシステム。
　　【請求項４】　記録媒体に記録されたビデオストリームを再生するシステムにおける方法であって、該システムは第１の情報処理手段および第２の情報処理手段と有し、
　前記第１の情報処理手段によりブックマーキングを要求する第１の情報処理ステップと、
　前記第１の情報処理手段がブックマーキングを要求した時点に再生されているビデオストリームのロケーションのブックマークを前記第２の情報処理手段により生成する第２の情報処理ステップと
　を備えたことを特徴とする方法。
　　【請求項５】　請求項４に記載の方法において、前記システムはさらに第３の情報処理手段を有し、前記第２の情報処理手段により生成されるブックマークには前記ビデオストリームの再生状態が、順送り再生か逆利送り再生かを示すカレントステート情報を有しており、該ブックマークにより示されるロケーションからおよびカレントステート情報により示される再生方向に前記ビデオストリームを前記第４の情報処理手段により再生させる第３の情報処理ステップをさらに備えたことを特徴とする方法。
　　【請求項６】　請求項４に記載の方法において、前記システムは記憶手段をさらに有し、前記第２の情報処理手段により生成されたブックマークを前記記憶手段に記憶するステップをさらに備えたことを特徴とする方法。」
　とあったところを、
　
本件補正後
「　【請求項１】　記録媒体に記録されたビデオストリームを再生するシステムにおいて、
　ブックマーキングを要求する第１の情報処理手段と、
　前記第１の情報処理手段がブックマーキングを要求した時点に再生されているビデオストリームのロケーション
についての、ユーザ設定値を有した余分情報を含んだ
、
　
前記ブックマークをプレイヤアプリケーションに引渡す第３の情報処理手段と
　を備え
、前記プレイヤアプリケーションが前記余分情報を使用して、前記ブックマークを選択し、および前記ユーザ設定値により前記ビデオストリームを再生する
　　【請求項２】　請求項１に記載のシステムにおいて、前記第２の情報処理手段により生成されるブックマークは
、
および
、
４
　　【請求項３】　請求項１に記載のシステムにおいて、前記第２の情報処理手段により生成されたブックマークを記憶しておく記憶手段をさらに
備えた
　　【請求項４】　
コマンドを受け取る第１の情報処理手段と、
　
コンテンツとのやりとりを処理する第２の情報処理手段と、
　
フィードバック情報を引渡す第３の情報処理手段と、
　
ビデオストリームを再生する第４の情報処理手段と
　
を備え、
　ブックマーキング
の要求を前記第１の情報処理手段が受け取
　前記第１の情報処理手段がブックマーキングを要求
され
についての、ユーザ設定値を有した余分情報を含んだ
前記第２の情報処理手段が
、
　
プレイヤアプリケーションに前記ブックマークを前記第３の情報処理手段が引渡す第３の情報処理ステップと、
　
前記プレイヤアプリケーションが前記余分情報を使用して、前記ブックマークを選択し、および前記ユーザ設定値により前記ビデオストリームを前記第４の情報処理手段が再生する第４の情報処理ステップと
　を
含む
　　【請求項５】　請求項４に記載の方法において、前記第２の情報処理手段
が
する
、
および第４の情報処理ステップは、
、
４
が
する
含む
　　【請求項６】　請求項４に記載の方法において、前記システムは記憶手段をさらに
備え
が
する
が
含む
　とするものである。
　
２．補正の適否
　
　上記本件補正前後の構成を対比すると、補正後の請求項１は、補正前の請求項１に対応し、そして、補正後の請求項１に追加された「前記ブックマークをプレイヤアプリケーションに引渡す第３の情報処理手段」及び「前記プレイヤアプリケーションが前記余分情報を使用して、前記ブックマークを選択し、および前記ユーザ設定値により前記ビデオストリームを再生する」は、補正前の請求項１に記載された発明の発明特定事項のいずれの事項の限定とも認められない。
　したがって、本件補正は発明特定事項を限定する特許請求の範囲の減縮を目的とするものとは認められない。また、請求項の削除、誤記の訂正、明りょうでない記載の釈明のいずれにも該当しない。
　
３．むすび
　
　以上のとおりであるから、本件補正は、平成１８年法律第５５号改正附則第３条第１項によりなお従前の例によるとされる同法による改正前の特許法第１７条の２第４項の規定に違反するので、同法第１５９条第１項において読み替えて準用する同法第５３条第１項の規定により却下すべきものである。
　
４．独立特許要件の検討
　
　上記「１．〜３．」で検討したとおり、本件補正は、却下されるべきものであり、本来これ以上の検討は不要であるが、仮に、本件補正が特許請求の範囲の減縮を目的とするものに該当するとした場合、本件補正後の請求項１に係る発明（以下「本件補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項に適合するか）否かについても、以下に検討する。
　
（１）本件補正発明について
　
　本件補正発明は、上記１．に本件補正後の請求項１として記載したとおりのものである。
　
（２）引用例
　
　原査定の拒絶の理由に引用された、本願の優先権主張の日前に頒布された刊行物である特開平１１−２７３３１９号公報（平成１１年１０月８日公開、以下「引用例」という。）には、情報再生制御装置に関し、図面と共に、以下の記載がある。（なお、下線は、当審で付与した。）
　
（２−１）「【０００１】
【発明の属する技術分野】この発明は、情報再生制御装置および情報再生方法に関し、特に、再生情報を再生希望箇所から容易に再生する技術に関する。」
　
（２−２）「【００３２】図２は、図１に示す情報再生制御装置を
ＤＶＤビデオプレーヤ
【００３３】
メモリ２には、プレーヤ２０全体のシステム動作を司どるプログラムや属性情報の表示などを行なわせるためのプログラムの他、上記各データが記憶される。
【００３４】リモコン（入力装置）１６からの操作信号は、インターフェース１８を介してＣＰＵ４に送られる。
ＣＰＵ４は、リモコン１６からの操作信号にしたがって、メモリ２に記憶されたプログラムを実行する。
【００３５】ランダムアクセス可能な記録媒体であるＤＶＤビデオディスク（以下、単に「ディスク」ということがある。）２２に記録されたデータには、映像データや音声データであるプレゼンテーションデータ（再生情報）、ナビゲーションデータ（管理情報）の他、媒体特定データであるディスクＩＤ（後述）が含まれている。」
　
（２−３）「【００４０】ＣＰＵ４は、ドライブユニット６、信号処理部８、映像／音声復号処理部１０を制御する一方、映像／音声復号処理部１０において得られたナビゲーションデータに基づいて、現在の再生位置や再生経過時間を知る。
【００４１】
ＣＰＵ４は、リモコン１６からブックマーク登録命令等（後述）があると、現在の再生経過時間、現在の画像情報の一部、ＲＳＭ情報（リジューム情報）等を、上記ディスクＩＤと関連づけてメモリ２に記憶させる。
【００４２】
ＣＰＵ４は、また、タイトルの再生が停止される際にも、現在の再生経過時間およびＲＳＭ情報を、上記ディスクＩＤと関連づけてメモリ２のブックマーク領域４０に記憶させる。
【００４３】
上述のＲＳＭ情報とは、復帰先の再生情報のアドレス、タイトル番号、チャプター番号などを含む情報であり、
【００４４】
ＣＰＵ４は、リモコン１６からブックマーク表示命令等（後述）があると、ブックマーク情報を表示するためのデータを生成し、これを映像／音声復号処理部１０に出力する。
【００４５】
ＣＰＵ４は、リモコン１６からブックマーク選択信号等（後述）を受けると、選択されたブックマーク情報のＲＳＭ情報に記述された再生箇所（再生希望箇所または直前の再生停止箇所）から再生を開始するよう制御する。
【００４６】なお、メモリ２が、図１に示すデータ記憶手段３０に対応する。また、ＣＰＵ４が、再生制御手段３２、および、表示制御手段３４に対応する。」
　
（２−４）「【００６４】この実施形態では、ブックマーク登録命令時や、タイトルの再生を停止する際に、これらナビゲーションデータに基づいて、上述のように、ＲＳＭ情報や、現在の再生経過時間を取込むよう構成している。」
　
　上記摘示事項及び図面の記載を総合勘案すると、引用例には、次の発明（以下「引用発明」という。）が記載されているものと認める。
　
「　ＤＶＤビデオプレーヤにおいて、
　メモリには、プレーヤ全体のシステム動作を司どるプログラムや属性情報の表示などを行なわせるためのプログラムが記憶され、
　ＣＰＵは、リモコンからの操作信号にしたがって、メモリに記憶されたプログラムを実行し、
　ＣＰＵは、リモコンからブックマーク登録命令があると、現在の再生経過時間、現在の画像情報の一部、ＲＳＭ情報（リジューム情報）を、ディスクＩＤと関連づけてメモリに記憶させ、
　ＣＰＵは、リモコンからブックマーク表示命令があると、ブックマーク情報を表示するためのデータを生成し、
　ＣＰＵは、リモコンからブックマーク選択信号を受けると、選択されたブックマーク情報のＲＳＭ情報に記述された再生箇所（再生希望箇所または直前の再生停止箇所）から再生を開始するよう制御するＤＶＤビデオプレーヤ。」
　
（３）対比
　
　そこで、本件補正発明と引用発明とを対比する。
（３−１）引用発明の「ＤＶＤビデオプレーヤ」は、本件補正発明の「記録媒体に記録されたビデオストリームを再生するシステム」に相当する。
（３−２）引用発明の「メモリ」には、「プレーヤ全体のシステム動作を司どるプログラムや属性情報の表示などを行なわせるためのプログラムが記憶され」ており、引用発明の「ＣＰＵ」は、「リモコンからの操作信号にしたがって、メモリに記憶されたプログラムを実行」するから、「プレイヤアプリケーション」の機能を実現している。
（３−３）引用発明の「ＣＰＵ」は、「リモコンからブックマーク登録命令があると、現在の再生経過時間、現在の画像情報の一部、ＲＳＭ情報（リジューム情報）を、ディスクＩＤと関連づけてメモリに記憶させ」るものであり、また、ＲＳＭ情報（リジューム情報）は、復帰先の再生情報のアドレスを含む情報（上記摘示事項（２−３）【００４３】参照）であるから、「ブックマーキングを要求する第１の情報処理手段」の機能及び「前記第１の情報処理手段がブックマーキングを要求した時点に再生されているビデオストリームのロケーションについての」「ブックマークを生成する第２の情報処理手段」の機能を実現している。
（３−４）引用発明の「ＣＰＵ」は、「リモコンからブックマーク表示命令があると、ブックマーク情報を表示するためのデータを生成」するが、その際に「メモリのブックマーク領域に記憶」された「ブックマーク情報」を呼出すことは明らかであるから、「前記ブックマークをプレイヤアプリケーションに引渡す第３の情報処理手段」の機能を実現している。
（３−５）引用発明の「ＣＰＵ」は、「リモコンからブックマーク選択信号を受けると、選択されたブックマーク情報のＲＳＭ情報に記述された再生箇所（再生希望箇所または直前の再生停止箇所）から再生を開始するよう制御する」から、引用発明は、「前記プレイヤアプリケーションが」「前記ブックマークを選択し、」「前記ビデオストリームを再生する」点で本件補正発明と共通する。
　
　そうすると、本件補正発明と引用発明とは、次の点で一致する。
　
＜一致点＞
　
「　記録媒体に記録されたビデオストリームを再生するシステムにおいて、
　ブックマーキングを要求する第１の情報処理手段と、
　前記第１の情報処理手段がブックマーキングを要求した時点に再生されているビデオストリームのロケーションについてのブックマークを生成する第２の情報処理手段と、
　前記ブックマークをプレイヤアプリケーションに引渡す第３の情報処理手段と
　を備え、前記プレイヤアプリケーションが前記ブックマークを選択し、前記ビデオストリームを再生するシステム。」の点。
　
　そして、次の点で相違する。
　
＜相違点＞
　
（ａ）「ブックマーク」について、本件補正発明は、「ユーザ設定値を有した余分情報を含」むのに対し、引用発明はそのようになされていない点。
　
（ｂ）「プレイヤアプリケーション」について、本件補正発明は、「前記余分情報を使用して、前記ブックマークを選択し、」「前記ユーザ設定値により前記ビデオストリームを再生する」のに対し、引用発明はそのようになされていない点。
　
（４）判断
　
　そこで、上記各相違点について検討する。
　
相違点（ａ、ｂ）について
　リジュームを「位置」だけを記録する機能とせず、再生や記録といった動作自体、あるいは再生のモード（タイトル再生、プログラム再生）等も記録するものとし、リジューム時にその動作およびモード等も再現できるようにすることは周知である（例えば、特開２０００−１１６１５号公報の段落０１２８参照）。そして、再生や記録といった動作自体、あるいは再生のモード（タイトル再生、プログラム再生）等は、ユーザが設定するものであるから、引用発明において、「ブックマーク」について、「ユーザ設定値を有した余分情報を含」むようにし、「プレイヤアプリケーション」について、「前記余分情報を使用して、前記ブックマークを選択し、」「前記ユーザ設定値により前記ビデオストリームを再生する」ようにすることは、当業者が容易に想到できるものである。
　
　そして、上記各相違点を総合的に判断しても、本件補正発明が奏する効果は引用例及び周知技術から当業者が十分に予測できたものであって格別なものとはいえない。
　
　したがって、本件補正発明は、引用例に記載された発明及び周知技術に基づいて当業者が容易に発明をすることができたものであるから、特許法第２９条第２項の規定により特許出願の際独立して特許を受けることができない。
　
（５）本件補正についてのむすび
　
　以上のとおり、本件補正は、平成１８年法律第５５号改正附則第３条第１項によりなお従前の例によるとされる同法による改正前の特許法第１７条の２第５項で準用する同法第１２６条第５項の規定に違反するので、同法第１５９条第１項の規定において読み替えて準用する同法第５３条第１項の規定により却下すべきものである。
　
第３　本願発明について
　
１．本願発明
　
　平成１８年９月２７日付けの手続補正は、上記のとおり却下されたので、本願の請求項１乃至６に係る発明は、平成１８年５月１０日付け手続補正で補正された明細書の特許請求の範囲の請求項１乃至６に記載された事項により特定されるものであるところ、請求項１に係る発明（以下「本願発明」という。）は、上記「第２［理由」１．」に本件補正前の請求項１として記載したとおりのものである。
　
２．引用例
　
　現査定の拒絶の理由で引用された引用例及びその記載事項は、上記「第２［理由」４．（２）」に記載したとおりである。
　
３．対比・判断
　
　本願発明は、上記「第２［理由」４．（３）及び（４）」で検討した本件補正発明における「前記第１の情報処理手段がブックマーキングを要求した時点に再生されているビデオストリームのロケーション
についての、ユーザ設定値を有した余分情報を含んだ
前記ブックマークをプレイヤアプリケーションに引渡す第３の情報処理手段
前記プレイヤアプリケーションが前記余分情報を使用して、前記ブックマークを選択し、および前記ユーザ設定値により前記ビデオストリームを再生する
　そうすると、本願発明の構成要件を全て含み、さらに他の構成要件を付加したものに相当する本件補正発明が、上記「第２［理由」４．（３）及び（４）」に記載したとおり、引用例に記載された発明及び周知技術に基づいて、当業者が容易に発明をすることができたものであるから、本願発明も、同様の理由により、引用例に記載された発明及び周知技術に基づいて、当業者が容易に発明をすることができたものである。
　
４．むすび
　
　以上のとおり、本願の請求項１に係る発明は、特許法第２９条第２項の規定により特許を受けることができない。
　したがって、本願は、その余の請求項について論及するまでもなく拒絶すべきものである。
　
　よって、結論のとおり審決する。